(57)【要約】【課題】適当なタイミングでレコメンデーション情報を出力すること。【解決手段】情報提供装置１０は、車両２０の運転者に対して運転支援情報を出力する。レコメンデーション情報取得手段１０２は、車両２０の現在位置周辺のレコメンデーション情報を取得する。交通状況情報取得手段１０４は、車両２０の現在位置周辺の交通状況情報を取得する。判定手段１０６は、交通状況情報に基づいて、運転者に対して出力が必要な運転支援情報があるか否かを判定する。情報出力手段１０８は、出力が必要な運転支援情報がある場合は当該運転支援情報を出力し、出力が必要な運転支援情報がない場合はレコメンデーション情報を出力する。【選択図】図３
2015146142.tif 000002
【特許請求の範囲】
【請求項１】
車両の運転者に対して運転支援情報を出力する情報提供装置であって、
前記車両の現在位置周辺のレコメンデーション情報を取得するレコメンデーション情報取得手段と、
前記車両の現在位置周辺の交通状況情報を取得する交通状況情報取得手段と、
前記交通状況情報に基づいて、前記運転者に対して出力が必要な前記運転支援情報があるか否かを判定する判定手段と、
前記出力が必要な前記運転支援情報がある場合は当該運転支援情報を出力し、前記出力が必要な前記運転支援情報がない場合は前記レコメンデーション情報を出力する情報出力手段と、
を備えることを特徴とする情報提供装置。
【請求項２】
前記レコメンデーション情報取得手段は、前記車両が走行する道路の周辺に設置された路側機から前記レコメンデーション情報を受信する、
ことを特徴とする請求項１記載の情報提供装置。
【請求項３】
前記交通状況情報取得手段は、前記路側機から前記交通状況情報を受信する、
ことを特徴とする請求項１または２記載の情報提供装置。
【請求項４】
前記交通状況情報取得手段は、前記路側機から前記交通状況情報を受信するとともに、前記車両に設けられたセンサまたは他の移動体が保持する情報機器の少なくともいずれかから前記交通状況情報を取得する、
ことを特徴とする請求項１または２記載の情報提供装置。
【請求項５】
前記交通状況情報取得手段および前記判定手段は、前記レコメンデーション情報の出力中も前記交通状況情報の取得および前記運転支援情報の出力の要否の判定を継続し、
前記出力手段は、前記レコメンデーション情報の出力中に前記運転支援情報の出力が必要と判定された場合には、前記レコメンデーション情報の出力を中断して前記運転支援情報を出力する、
ことを特徴とする請求項１から４のいずれか１項記載の情報提供装置。
【請求項６】
前記情報出力手段は、音声のみを用いて前記レコメンデーション情報を出力する、
ことを特徴とする請求項１から５のいずれか１項記載の情報提供装置。
【発明の詳細な説明】
【技術分野】
【０００１】
本発明は、車両の運転者に対して運転支援情報を出力する情報提供装置に関する。
【背景技術】
【０００２】
従来、道路周辺に設置された路側機と車両との間の路車間通信等を用いて車両周辺の交通状況情報を取得し、運転支援情報として運転者に提供する技術が知られている。
また、運転者に対して運転支援情報以外のレコメンデーション情報を出力する技術が知られている。
例えば下記特許文献１では、ドライバのリアクション（顔の動き）を検知してレコメンデーション情報の出力の要否を判定し、肯定のリアクションがあった場合にレコメンデーション情報を出力している。
【先行技術文献】
【特許文献】
【０００３】
【特許文献１】特開２０１０−９４８４号公報
【発明の概要】
【発明が解決しようとする課題】
【０００４】
しかしながら、レコメンデーション情報は運転者の運転動作には関連しない情報であり、慎重な運転が求められる場面など適当でないタイミングで出力すると、運転者の注意は運転に向けられているため、レコメンデーション情報の内容が十分に伝達できない可能性がある。
例えば上述した従来技術では、運転者の意図に合わせてレコメンデーション情報を出力することはできるものの、車両の周囲の状況に関しては考慮されていない。
【０００５】
本発明は、上述した従来技術の問題点に鑑みてなされたものであり、適当なタイミングでレコメンデーション情報を出力することを目的とする。
【課題を解決するための手段】
【０００６】
上述した問題を解決し、目的を達成するため、請求項１の発明にかかる情報提供装置は、車両の運転者に対して運転支援情報を出力する情報提供装置であって、前記車両の現在位置周辺のレコメンデーション情報を取得するレコメンデーション情報取得手段と、前記車両の現在位置周辺の交通状況情報を取得する交通状況情報取得手段と、前記交通状況情報に基づいて、前記運転者に対して出力が必要な前記運転支援情報があるか否かを判定する判定手段と、前記出力が必要な前記運転支援情報がある場合は当該運転支援情報を出力し、前記出力が必要な前記運転支援情報がない場合は前記レコメンデーション情報を出力する情報出力手段と、を備えることを特徴とする。
請求項２の発明にかかる情報提供装置は、前記レコメンデーション情報取得手段は、前記車両が走行する道路の周辺に設置された路側機から前記レコメンデーション情報を受信する、ことを特徴とする。
請求項３の発明にかかる情報提供装置は、前記交通状況情報取得手段は、前記路側機から前記交通状況情報を受信する、ことを特徴とする。
請求項４の発明にかかる情報提供装置は、前記交通状況情報取得手段は、前記路側機から前記交通状況情報を受信するとともに、前記車両に設けられたセンサまたは他の移動体が保持する情報機器の少なくともいずれかから前記交通状況情報を取得する、ことを特徴とする。
請求項５の発明にかかる情報提供装置は、前記交通状況情報取得手段および前記判定手段は、前記レコメンデーション情報の出力中も前記交通状況情報の取得および前記運転支援情報の出力の要否の判定を継続し、前記出力手段は、前記レコメンデーション情報の出力中に前記運転支援情報の出力が必要と判定された場合には、前記レコメンデーション情報の出力を中断して前記運転支援情報を出力する、ことを特徴とする。
請求項６の発明にかかる情報提供装置は、前記情報出力手段は、音声のみを用いて前記レコメンデーション情報を出力する、ことを特徴とする。
【発明の効果】
【０００７】
請求項１の発明によれば、運転者の運転動作には関連しないレコメンデーション情報は、運転支援を必要としない安定した走行状況下でのみ出力する。これにより、運転者は安定した状態でレコメンデーション情報を得るので、レコメンデーション情報の内容をより正確に伝達することができる。
請求項２の発明によれば、情報提供装置は路側機からレコメンデーション情報を取得するため、車両の現在位置に合わせて有益性の高い情報を提供することができる。
請求項３の発明によれば、路側機から交通状況情報を受信するので、車両の運転者の五感では得られない情報をピンポイントな領域内で得ることができ、車両の走行の安全性を向上させることができる。
請求項４の発明によれば、路側機に加えて自律センサや他の移動体等が保持する情報機器から交通状況情報を受信するので、交通状況情報の情報量が多くなり、運転支援情報の情報量を向上させることができるとともに、判定手段による判定の精度を向上させることができる。
請求項５の発明によれば、突発的な交通状況の変化が生じた場合でも、即座に運転支援情報を出力することができ、車両の走行時の安全性をさらに向上させることができる。
請求項６の発明によれば、音声のみでレコメンデーション情報を出力するので、運転者は聴覚のみを用いてレコメンデーション情報を得ることができ、運転時により重要となる視覚を運転に集中させることができる。
【図面の簡単な説明】
【０００８】
【図１】情報提供装置１０が搭載された車両２０が走行する道路を模式的に示す説明図である。
【図２】情報提供装置１０のハードウェア構成を示すブロック図である。
【図３】情報提供装置１０の機能的構成を示すブロック図である。
【図４】情報提供装置１０の処理を示すフローチャートである。
【発明を実施するための形態】
【０００９】
以下に添付図面を参照して、本発明にかかる情報提供装置の好適な実施の形態を詳細に説明する。
【００１０】
（実施の形態）
図１は、情報提供装置１０が搭載された車両２０が走行する道路を模式的に示す説明図である。
図１には、道路Ｒ１と道路Ｒ２が交差する交差点Ｃ周辺が図示されている。
道路Ｒ１の近傍には、複数の路側機Ｐ（Ｐ１，Ｐ２）が設置されている。
路側機Ｐは、近距離無線通信を用いて、近傍の道路を走行する車両２０に情報を送信する。すなわち、路側機Ｐは、車両２０との間で路車間通信をおこなう。
路側機Ｐの通信エリアＰａは、例えば道路Ｒ１を通行する車両１台分程度である。よって、路側機Ｐからの情報を受信した車両２０は、当該情報受信時刻における位置を路側機Ｐの位置と近似することができる。路側機Ｐの通信エリアＰａを小さくし、設置台数を増やすことによってよりピンポイントの情報を提供することができる。
なお、路側機Ｐの通信エリアＰａを広範囲とし、走行する車両２０が継続的に情報を受信できるようにしてもよい。
【００１１】
路側機Ｐは、車両２０に対して、車両２０の現在位置周辺のレコメンデーション情報を送信する。
より詳細には、各路側機Ｐは、自装置の位置周辺のレコメンデーション情報を送信している。上述のように、情報受信時刻における車両２０の位置を路側機Ｐの位置と近似できるため、車両２０にとっては、路側機Ｐから受信したレコメンデーション情報は自車両の現在位置周辺のレコメンデーション情報となる。
レコメンデーション情報とは、例えば周囲の店舗や行楽に関する情報（飲食店のキャンペーン情報や景色のよいルートなど）である。
レコメンデーション情報としてどのような属性の情報を出力するかを、搭乗者が選択できるようにしてもよい。
各路側機Ｐは、基本的にそれぞれ別個のレコメンデーション情報を送信する。これは、各路側機Ｐは異なる場所に設置されており、近傍となる範囲が異なるためである。なお、路側機Ｐの設置密度が高いエリアにおいては、隣り合う路側機Ｐ同士で同じ情報を出力する場合も考えられる。
各路側機Ｐがどのような情報をレコメンデーション情報として送信するかは、例えば図示しない情報管理サーバなどで管理する。
【００１２】
また、路側機Ｐは、車両２０に対して、車両２０の現在位置周辺の交通状況情報を送信する。
レコメンデーション情報と同様に、各路側機Ｐは、自装置の位置周辺の交通状況情報を送信している。上述のように、情報受信時刻における車両２０の位置を路側機Ｐの位置と近似できるため、車両２０にとっては、路側機Ｐから受信した交通状況情報は自車両の現在位置周辺の交通状況情報となる。
交通状況情報とは、例えば車両２０の進行方向における渋滞情報、交差点Ｃの死角となっている領域における他車両や歩行者等（例えば道路Ｒ２を走行する自転車２４など）の有無、工事や事故等の交通規制の有無、車両２０の進行方向に設置された信号機（図示なし）の点灯状態、緊急車両の接近の有無等である。
路側機Ｐから出力される交通状況情報のうち、交差点Ｃの死角となっている領域における他車両や歩行者等の有無は、例えば交差点Ｃの周辺に設けられた路側センサＳによって取得される。
路側センサＳは、それぞれ領域Ｓａを検知範囲とし、車両２０以外の他車両２２や自転車２４、歩行者の有無を検知している。
路側センサＳで検知された情報は、周囲の路側機Ｐに直接、または上述した情報管理サーバを介して送信され、交通状況情報として車両２０へと送信される。
【００１３】
なお、車両２０の車体にセンサを設けて、周囲の車両や歩行者等を検知するようにしてもよい。すなわち、車両２０自身によって交通状況情報を取得するようにしてもよい。また、車速センサの測定値（車速）等、車両２０の走行状態を示す情報を取得して交通状況情報としてもよい。また、カメラを用いて車両２０周辺の画像を撮影し、画像解析をおこなうことによって、周囲の車両や歩行者等を検知するようにしてもよい。
以下、車両２０の車体に設けたセンサを「自律センサ」という。
また、周囲を走行する他車両に搭載された情報機器や周囲を歩行する歩行者等が保持する情報機器から交通状況情報を受信するようにしてもよい。すなわち、他車両との車車間通信や歩行者等との歩車間通信によって交通状況情報を受信するようにしてもよい。
【００１４】
図２は、情報提供装置１０のハードウェア構成を示すブロック図である。
情報提供装置１０は、ＣＰＵ４００、ＲＯＭ４０２、ＲＡＭ４０４、音声Ｉ／Ｆ４０６、スピーカ４０８、入力デバイス４１０、映像Ｉ／Ｆ４１２、モニタ４１４、通信Ｉ／Ｆ４１６、車両情報Ｉ／Ｆ４１８によって構成される。各構成部４００〜４１８は、バス４２０によって接続されている。
【００１５】
ＣＰＵ４００は、情報提供装置１０の全体の制御を司る。ＲＯＭ４０２は、情報提供装置１０の制御プログラムプログラムを記録している。ＲＡＭ４０４は、ＣＰＵ４００のワークエリアとして使用される。
【００１６】
音声Ｉ／Ｆ４０６は、スピーカ４０８に接続され、音声の出力を制御する。
スピーカ４０８は、後述するレコメンデーション情報や運転支援情報を出力する。
入力デバイス４１０は、文字、数値、各種指示などの入力のための複数のキーを備えたリモコン、タッチパネル、操作ボタンなどである。
【００１７】
映像Ｉ／Ｆ４１２は、モニタ４１４と接続され、モニタ４１４における画像表示を制御する。
モニタ４１４は、各種データを表示する。具体的には、モニタ４１４は、運転者の運転を支援する運転支援情報やレコメンデーション情報、情報の出力に関する各種設定をおこなう設定画面などを表示する。
【００１８】
通信Ｉ／Ｆ４１６は、無線を介してネットワークに接続され、ネットワークとＣＰＵ４００とのインターフェースとして機能する。上述した路側機Ｐとの路車間通信や車車間通信、歩車間通信も通信Ｉ／Ｆ４１６を介して行われる。
車両情報Ｉ／Ｆ４１８は、車両本体から車両の状態を示す車両情報が入力される。車両情報とは、例えば車両２０の車体に設置されたセンサによる検知結果や車速情報等である。
【００１９】
図３は、情報提供装置１０の機能的構成を示すブロック図である。
情報提供装置１０は、車両２０の運転者に対して運転支援情報を出力する。
運転支援情報とは、運転者による運転を支援するための情報であり、例えば車両２０が交差点Ｃを通過する際に死角にいる他の車両や歩行者に注意を促す情報や緊急車両の接近情報、前方で発生した事故や渋滞に注意を促す情報などが挙げられる。
このような運転支援情報を出力することによって、五感のみでは気づきにくい交通状況を運転者が把握することができ、車両２０の走行時の安全性を向上させることができる。
【００２０】
情報提供装置１０は、レコメンデーション情報取得手段１０２、交通状況情報取得手段１０４、判定手段１０６、情報出力手段１０８によって構成される。
レコメンデーション情報取得手段１０２は、車両２０の現在位置周辺のレコメンデーション情報を取得する。
レコメンデーション情報取得手段１０２は、車両２０が走行する道路の周辺に設置された路側機Ｐからレコメンデーション情報を受信する。
レコメンデーション情報取得手段１０２は、具体的には図２の通信Ｉ／Ｆ４１６に対応する。
【００２１】
交通状況情報取得手段１０４は、車両の現在位置周辺の交通状況情報を取得する。
交通状況情報取得手段１０４は、車両２０が走行する道路の周辺に設置された路側機Ｐから交通状況情報を受信する。
また、交通状況情報取得手段１０４は、路側機Ｐから交通状況情報を受信するとともに、車両２０に設けられたセンサ（自律センサ）または他の移動体（他車両や歩行者）が保持する情報機器の少なくともいずれかから交通状況情報を取得するようにしてもよい。
路側機Ｐのみから交通状況情報を受信する場合、情報提供装置１０の構成および処理を簡素化にすることができる。
また、路側機Ｐに加えて自律センサや他の移動体等が保持する情報機器から交通状況情報を受信するようすれば、交通状況情報の情報量が多くなり、運転支援情報の情報量を向上させることができるとともに、後述する判定手段１０６による判定の精度を向上させることができる。
レコメンデーション情報取得手段１０２は、具体的には図２の通信Ｉ／Ｆ４１６や車両情報Ｉ／Ｆ４１８に対応する。
【００２２】
判定手段１０６は、交通状況情報に基づいて、運転者に対して出力が必要な運転支援情報があるか否かを判定する。
判定手段１０６は、例えば車両２０の進行方向の交差点Ｃに設置された路側センサＳに移動体等が検知されている場合は、出力が必要な運転支援情報があると判定する。
また、判定手段１０６は、例えば車両２０の前方あるいは後方から緊急車両が接近していることが検知されている場合は、出力が必要な運転支援情報があると判定する。
また、これらの事項がいずれも検知されていない場合、判定手段１０６は、出力が必要な運転支援情報がないと判定する。
すなわち、判定手段１０６は、取得した交通状況情報に車両２０の走行に支障を及ぼす可能性ある事項が含まれている場合には、その事項を運転者に伝える運転支援情報を出力する必要があると判定する。また、交通状況情報に車両２０の走行に支障を及ぼす可能性がある事項が含まれていない場合には、その事項を運転者に伝える運転支援情報を出力する必要があると判定する。
判定手段１０６は、具体的には図２のＣＰＵ４００が制御プログラムを実行することにより実現する。
【００２３】
情報出力手段１０８は、出力が必要な運転支援情報がある場合は当該運転支援情報を出力し、出力が必要な運転支援情報がない場合はレコメンデーション情報を出力する。
すなわち、情報出力手段１０８は、車両２０の走行に支障を及ぼす可能性がある事象が周囲で生じている場合には、レコメンデーション情報の出力をおこなわずに運転支援情報を出力する。また、車両２０の走行に支障を及ぼす可能性がある事象が周囲で生じていない場合には、レコメンデーション情報の出力をおこなう。
情報出力手段１０８は、例えばモニタ４１４とスピーカ４０８とを用いて、画像と音声とによってレコメンデーション情報を出力する。
また、情報出力手段１０８は、音声のみを用いてレコメンデーション情報を出力するようにしてもよい。
これは、モニタ４１４を用いたレコメンデーション情報の出力中は、運転者がモニタ４１４を注視する可能性が高く、前方の交通状態（例えば信号機の点灯状態など）の確認が不十分となる可能性があるためである。
情報出力手段１０８は、図２のＣＰＵ４００によってスピーカ４０８やモニタ４１４を制御することによって実現する。
【００２４】
なお、交通状況情報取得手段１０４および判定手段１０６は、レコメンデーション情報の出力中も交通状況情報の取得および運転支援情報の出力の要否の判定を継続するようにしてもよい。
この場合、情報出力手段１０８は、レコメンデーション情報の出力中に運転支援情報の出力が必要と判定された場合には、レコメンデーション情報の出力を中断して運転支援情報を出力する。
これにより、突発的な交通状況の変化が生じた場合でも、即座に運転支援情報を出力することができ、車両２０の走行時の安全性をさらに向上させることができる。
また、路側機Ｐの異常やメンテナンス等で正確な交通状況情報やレコメンデーション情報が得られない場合には、レコメンデーション情報を出力しないようにしてもよい。
【００２５】
図４は、情報提供装置１０の処理を示すフローチャートである。
図４のフローチャートにおいて、情報提供装置１０は、レコメンデーション情報取得手段１０２によって、車両２０の現在位置周辺のレコメンデーション情報を受信する（ステップＳ４００）。レコメンデーション情報の受信は、車両２０が走行中に路側機Ｐの通信エリアＰａ内に入った際におこなわれる。
また、情報提供装置１０は、交通状況情報取得手段１０４によって、車両２０の現在位置周辺の交通状況情報を取得する（ステップＳ４０２）。交通状況情報の取得は、路側機Ｐとの間の通信（路車間通信）をはじめ、自律センサの出力値の取得、他の移動体の情報機器との間の通信（車車間通信や歩車間通信）など、車両２０の走行中随時おこなわれる。
【００２６】
つぎに、情報提供装置１０は、判定手段１０６によって、ステップＳ４０２で取得した交通状況情報の中に、運転者に対して出力が必要な情報があるか否かを判断する（ステップＳ４０４）。
運転者に対して出力が必要な情報とは、例えば車両２０が走行する道路と交差する道路に交差点側に移動する移動体が存在する場合、車両２０の車体のごく近くに物体が検出されている場合、車両２０の近傍を緊急車両が走行している場合などが挙げられる。
運転者に対して出力が必要な情報がある場合（ステップＳ４０４：Ｙｅｓ）、情報提供装置１０は、情報出力手段１０８によって当該情報を運転支援情報として出力し（ステップＳ４０６）、ステップＳ４００に戻り、以降の処理をくり返す。
また、運転者に対して出力が必要な情報がない場合（ステップＳ４０４：Ｎｏ）、情報提供装置１０は、情報出力手段１０８によってステップＳ４００で受信したレコメンデーション情報の出力を開始する（ステップＳ４０８）。
なお、この時、上述のように出力するレコメンデーション情報の属性を、搭乗者が選択できるようにしてもよい。すなわち、受信したレコメンデーション情報を全て出力するのではなく、搭乗者の興味のある情報のみを出力するようにしてもよい。
【００２７】
レコメンデーション情報の出力中も、交通状況情報取得手段１０４は、車両２０の現在位置周辺の交通状況情報の取得を継続する（ステップＳ４１０）。
同様に、判定手段１０６は、出力が必要な情報があるか否かの判定を継続し（ステップＳ４１２）、出力が必要な情報がある場合は（ステップＳ４１２：Ｙｅｓ）、レコメンデーション情報の出力を中断し、運転支援情報の出力をおこなう（ステップＳ４１４）。
また、出力が必要な情報がない場合は（ステップＳ４１２：Ｎｏ）、レコメンデーション情報の出力が終了するまで（ステップＳ４１６：Ｎｏ）、ステップＳ４１０に戻り、以降の処理をくり返す。
そして、レコメンデーション情報の出力が終了すると（ステップＳ４１６：Ｙｅｓ）、本フローチャートによる処理を終了する。
【００２８】
以上説明したように、実施の形態にかかる情報提供装置１０は、運転者の運転動作には直接関連しないレコメンデーション情報は、運転支援を必要としない安定した走行状況下でのみ出力する。
これにより、運転者は安定した状態でレコメンデーション情報を得るので、レコメンデーション情報の内容をより正確に伝達することができる。
また、情報提供装置１０は、路側機Ｐからレコメンデーション情報を取得するため、車両２０の現在位置に合わせて有益性の高い情報を提供することができる。
また、情報提供装置１０は、路側機Ｐから交通状況情報を受信するので、車両２０の運転者の五感では得られない情報をピンポイントな領域内で得ることができ、車両２０の走行の安全性を向上させることができる。
また、情報提供装置１０において、路側機Ｐに加えて自律センサや他の移動体等が保持する情報機器から交通状況情報を受信するようにすれば、交通状況情報の情報量が多くなり、運転支援情報の情報量を向上させることができるとともに、判定手段１０６による判定の精度を向上させることができる。
また、情報提供装置１０は、レコメンデーション情報の出力中に運転支援が必要となった場合にはレコメンデーション情報の出力を中断して運転支援情報を出力するので、突発的な交通状況の変化が生じた場合でも、即座に運転支援情報を出力することができ、車両２０の走行時の安全性をさらに向上させることができる。
また、情報提供装置１０において、音声のみでレコメンデーション情報を出力するようにすれば、運転者は聴覚のみを用いてレコメンデーション情報を得ることができ、運転時により重要となる視覚を運転に集中させることができる。
【符号の説明】
【００２９】
１０……情報提供装置、２０……車両、１０２……レコメンデーション情報取得手段、１０４……交通状況情報取得手段、１０６……判定手段、１０８……情報出力手段。
【図１】
2015146142.tif 000003
【図２】
2015146142.tif 000004
【図３】
2015146142.tif 000005
【図４】
2015146142.tif 000006